(57)【要約】【課題】  本発明は締付けベルトに係り、服の袖口部に巻回して、袖口部からの確実な水の浸入防止を可能とした締付けベルトを提供することを目的とする。【解決手段】  請求項１に係る発明は、服の袖口部に巻回する締付けベルトであって、その内側に長手方向に延びる止水用の突部を設けたことを特徴とする。  そして、請求項２に係る発明は、請求項１に記載の締付けベルトに於て、前記突部は、袖口部を形成する材料よりも硬質の材料で形成されていることを特徴とし、請求項３に係る発明は、請求項１または請求項２に記載の締付けベルトに於て、前記突部は、複数並列されていることを特徴とする。  また、請求項４に係る発明は、請求項１乃至請求項３のいずれか１項に記載の締付けベルトに於て、服の袖口部に一体的に取り付けられていることを特徴とする。【選択図】    図２
2009179910.tif 000002
【特許請求の範囲】
【請求項１】
服の袖口部に巻回する締付けベルトであって、その内側に長手方向に延びる止水用の突部を設けたことを特徴とする締付けベルト。
【請求項２】
前記突部は、袖口部を形成する材料よりも硬質の材料で形成されていることを特徴とする請求項１に記載の締付けベルト。
【請求項３】
前記突部は、複数並列されていることを特徴とする請求項１または請求項２に記載の締付けベルト。
【請求項４】
服の袖口部に一体的に取り付けられていることを特徴とする請求項１乃至請求項３のいずれか１項に記載の締付けベルト。
【発明の詳細な説明】
【技術分野】
【０００１】
本発明は、服の袖口に巻回して袖口から雨水が浸入することを防止した締付けベルトに関する。
【背景技術】
【０００２】
保温性及び袖口からの雨水の浸入防止を図る目的で、従来から服、特に雨具に関し、様々な提案がなされており、例えば、袖本体よりも小径な筒状の袖口部材を袖本体の先端部に縫着して、手首に袖口部材をフィットさせる等の方法が広く知られている。
【０００３】
しかし、斯様に袖口部材を手首にフィットさせても、袖口部材が濡れて袖本体内に水が浸入してしまうことがあり、また、袖口部材を防水性材料で形成していても、例えば、雨天での魚釣り等、袖口を上に向ける動作をすると、使用環境の厳しい過酷な条件下では、袖口部材と手首との間から水が染み込んで来てしまうのが実情であった。
【０００４】
また、図１１に示すように特許文献１には、小径な筒状の袖口部材１を先端部に縫着した袖本体３内に、帯状の非吸水性樹脂テープ５をその内周面に沿って貼着して、袖本体３内への雨水の浸入防止を図った釣服７が開示されている。
【特許文献１】特開２００３−２２１７１１号公報
【発明の開示】
【発明が解決しようとする課題】
【０００５】
しかし乍ら、前記非吸水性樹脂テープ５は釣人の腕に接しない構造上、袖口部材１と手首との間から染み込んだ水が、釣人の動きにより非吸水性樹脂テープ５を超えて袖本体３の奥へと浸入してしまう虞があり、また、袖本体３内に非吸水性樹脂テープ５を貼着しても、袖口から浸入した水は、袖本体３に達すると今度は衣服の袖に染み込んで、衣服の袖を伝って奥へ浸入するため、完全な防水を図ることができなかった。
【０００６】
本発明は斯かる実情に鑑み案出されたもので、服の袖口部に巻回して、袖口部からの確実な水の浸入防止を可能とした締付けベルトを提供することを目的とする。
【課題を解決するための手段】
【０００７】
斯かる目的を達成するため、請求項１に係る発明は、服の袖口部に巻回する締付けベルトであって、その内側に長手方向に延びる止水用の突部を設けたことを特徴とする。
【０００８】
そして、請求項２に係る発明は、請求項１に記載の締付けベルトに於て、前記突部は、袖口部を形成する材料よりも硬質の材料で形成されていることを特徴とし、請求項３に係る発明は、請求項１または請求項２に記載の締付けベルトに於て、前記突部は、複数並列されていることを特徴とする。
【０００９】
また、請求項４に係る発明は、請求項１乃至請求項３のいずれか１項に記載の締付けベルトに於て、服の袖口部に一体的に取り付けられていることを特徴とする。
【発明の効果】
【００１０】
各請求項に係る発明によれば、袖口部の外周に巻回した締付けベルトの締め付けにより、締付けベルトの内側に設けた突部を介して袖口の突部が当接した部分が強く手首を押圧するため、袖口部からの確実な雨水の浸入防止が可能となった。
【００１１】
また、請求項１乃至請求項３に係る締付けベルトは雨具に限定されるものではなく、一般的な洋服の袖口にも着脱自在であるため、袖口部からの雨水の浸入防止は勿論、締付けベルトを軽く締め付けて袖口からの風の侵入防止等を図ることも可能である。
【００１２】
そして、請求項２によれば、締付けベルトの締付力により、突部を介して袖口が強く押圧されるため、袖口部からの更に確実な雨水の浸入防止が可能となり、請求項３に係る発明の如く突部を複数並列させると、更により確実な雨水の浸入防止を図ることができる。
【発明を実施するための最良の形態】
【００１３】
以下、本発明の実施形態を図面に基づいて詳細に説明する。
【００１４】
図１は請求項１乃至請求項４の第一実施形態に係る締付けベルトを袖口部に一体的に取り付けた雨具を示し、該雨具１１は、左右の袖１３，１５が肩口に縫着された雨具本体１７と、雨具本体１７の上部に取り付くフード１９とを備え、雨具１１はナイロン等の柔らかな防水布で形成されている。また、雨具本体１７の前身頃２１に、スライドファスナ等の開閉具（図示せず）が上下に亘って取り付けられており、この開閉具の操作で前身頃２１を開閉して、雨具１１を着たり脱いだりできるようになっている。
【００１５】
そして、左右の袖１３，１５の先端に、夫々、該袖１３，１５より小径な筒状の袖口部２３，２５が縫着されており、雨具１１を着ると袖１３，１５の先端に衣服の袖が配され、袖口部２３，２５に手首Ｈを通すことができるようになっている。尚、左右の袖口部２３，２５は左右対称な構造であるため、以下、右側の袖１３に縫着された袖口部２３の構造を図２乃至図５を基に説明する。
【００１６】
袖口部２３は、クロロプレンゴム等のゴムやポリウレタン等の合成樹脂シート材や織布、またはこれらの表面にナイロン等の布を添着した材料を用いて防水性を有し、屈曲可能で伸縮性を持たせて形成されている。そして、図２に示すように袖口部２３には、手首Ｈの親指と人差し指との間に該当する位置（上側位置）に、Ｖ字状の切り込み部２７が袖口２９から長手方向に形成されており、該切り込み部２７は屈曲可能な布３１で覆われている。
【００１７】
そして、袖口部２３の先端（袖口２９）の外周に、前記切り込み部２７を跨いで周方向に延びる帯状の締付けベルト３３の一端が縫着で取り付けられており、締付けベルト３３は裏面（内側）が袖口部２３の外周に添設されるようになっている。そして、その先端側裏面に雄型面ファスナー３５が貼着されている。尚、該締付けベルト３３は袖１３と同一材料等、袖口部２３より伸びの小さい材料で形成されている。
【００１８】
一方、締付けベルト３３の縫着部近傍の袖口部２３の先端（袖口２９）の外周に雌型面ファスナー３７が貼着されており、図４の矢印方向へ締付けベルト３３を袖口部２３の先端（袖口２９）に巻回して前記雄型面ファスナー３５を雌型面ファスナー３７に止着すると、締付けベルト３３により袖口部２３の袖口２９側が外周側から内方（手首Ｈの方向）へ押圧されて、袖口部２３の袖口２９側を適度に締め付け保持できるようになっている。
【００１９】
そして、図２乃至図５に示すように締付けベルト３３の裏面（内側）に、該締付けベルト３３の長手方向に延びて、袖口部２３に巻回したときに袖口２９の周方向に壁状に連続して配されるようにした断面矩形状の止水用の複数（５重）の突部３９が、締付けベルト３３の幅方向に間隙を設けて等間隔に並設されている。そして、締付けベルト３３の裏面に並設した複数の突部３９は、並列された突部３９間に溝４１が形成されて一体形成された帯状部材４３が、締付けベルト３３の裏面にその長手方向に沿って取り付けられることで形成されている。
【００２０】
前記帯状部材４３は、袖口部２３を形成する材料より硬質の材料、例えばナイロンやポリプロピレン等の合成樹脂を用いて形成されており、その上面に前記突部３９が断面矩形状に一体形成されている。尚、一例として各突部３９は０．５〜５．０ｍｍ程の高さに形成されて１．０〜５．０ｍｍ程の幅を有し、また、各突部３９は１．０〜１０．０ｍｍ程の溝４１を空けて配置されている。そして、図４及び図５に示すように締付けベルト３３を袖口部２３に巻回して、前記雄型面ファスナー３５を雌型面ファスナー３７に止着し袖口部２３の外周に巻回状態で保持した際に、帯状部材４３は、前記切り込み部２７に対向して袖口２９の水が浸入し易い手首Ｈの小指側に該当する位置（下側位置）を中心に、袖口部２３の外側を覆うようになっている。但し、帯状部材４３は袖口部２３の外側を略一周覆うように形成してもよい。
【００２１】
そして、既述したように締付けベルト３３を袖口部２３に巻回して前記雄型面ファスナー３５を雌型面ファスナー３７に止着させることで、袖口部２３を締付けベルト３３で締め付けることができるが、切り込み部２７の両縁部２７ａ，２７ｂを重ね合わせて袖口部２３を締付けベルト３３で締め付けると、図５に示すように締付けベルト３３の締付力と袖口部２３の屈曲性や伸縮性により、各突部３９が当接した袖口部２３の外周部が内方へ押圧され、この部位に対向する袖口部２３の内周部が内方（手首Ｈ側）へ突出して手首Ｈを押圧し、袖口２９からの雨水の浸入を防止する。そして、より強く締付けベルト３３を締めると、袖口部２３の内周部の突出した部分が手首Ｈに深く食い込むことで、袖口部２３の先端（袖口２９）から袖１３への雨水の浸入を防止できるようになっている。
【００２２】
また、前記切り込み部２７の両縁部２７ａ，２７ｂを付き合わせて袖口部２３を締付けベルト３３で軽く締め付けると、各突部３９を介して袖口２９が手首Ｈの表面に軽く当接するようになっており、これによって袖口部２３から風が袖１３の中に入らないようにすることができる。
【００２３】
本実施形態はこのように構成されているから、前記雨具１１を着た釣人が、前記切り込み部２７の両縁部２７ａ，２７ｂを付き合わせて袖口部２３を締付けベルト３３で軽く締め付ければ、前記突部３９を介して袖口部２３が手首Ｈの表面に軽く当接して、袖口部２３からの風の侵入を防止する。
【００２４】
また、雨天時に、切り込み部２７の両縁部２７ａ，２７ｂを重ね合わせて袖口部２３を締付けベルト３３で強く締め付ければ、図５に示すように締付けベルト３３の締付力と袖口部２３の屈曲性や伸縮性により、各突部３９を介して袖口部２３が手首Ｈを押圧し、また、深く食い込んで袖口部２３からの雨水の浸入を防止する。
【００２５】
そして、突部３９は複数、袖口２９側からその奥の袖１３側に並列されて袖口部２３を内方へ押圧し、これに対応する袖口部２３の内周に複数の凸部Ｔが形成されるため、水が袖口２９に最も近い凸部Ｔを越えても、各凸部Ｔ間の凹部Ｏに保持され、この結果、更に袖口部２３の奥に設けた凸部Ｔで再び水の浸入が阻止されて雨水の浸入を確実に防止する。
【００２６】
このように本実施形態は、袖口部２３に設けた締付けベルト３３の締め付けにより、締付けベルト３３の裏面（内側）に設けた複数の突部３９を介して袖口２９を手首Ｈの表面に押圧または食い込ませるように構成したので、袖口部２３からの確実な雨水の浸入防止が可能となった。
【００２７】
そして、突部３９が複数並設されているため、突部３９を介して袖口部２３の内周に形成された凸部Ｔで押圧された手首Ｈの表面がうねって波状になり、水が手首Ｈに沿って伝わり難くなる。
【００２８】
また、特に釣りの場合、釣竿を握ると小指側が下になるため、小指側から袖口部２３へと滴が多く流れるが、既述したように本実施形態は、締付けベルト３３を袖口部２３に巻回したときに、複数の突部３９が一体形成された帯状部材４３を手首Ｈの小指側に該当する位置を中心に配置したので、袖口部２３からの雨水の浸入防止が適確に図られることとなる。
【００２９】
図６は締付けベルトの裏面（内側）に設ける突部の変形例を示し、この請求項１乃至請求項４の第二実施形態は、ナイロンやポリプロピレン等の合成樹脂を用いて締付けベルト３３-1の長手方向に延び、袖口部２３に巻回したときに袖口部２３の周方向に壁状に連続して延びる断面三角形状の複数本（５本）の止水用の突部４５を、一つずつ凸状に締付けベルト３３-1の裏面（内側）に付着，硬化させたもので、各突部４５は前記突部３９と同程度の高さ及び長さを以って前記帯状部材４３と同じ取付位置に取り付けられている。尚、その他の構成は図１の実施形態と同様であるので、同一のものには同一符号を付してそれらの説明は省略する。
【００３０】
而して、本実施形態によっても、切り込み部２７の両縁部２７ａ，２７ｂを重ね合わせて袖口２９を締付けベルト３３-1で強く締め付ければ、締付けベルト３３-1の締付力と袖口部２３の屈曲性や伸縮性により各突部３９を介して袖口部２３の内周が手首を押圧し、または食い込むため、前記実施形態と同様、所期の目的を達成することが可能で、袖口部２３から袖１３への確実な雨水の浸入防止を図ることができる。
【００３１】
図７及び図８は請求項１乃至請求項３の一実施形態に係る締付けベルトを示し、本実施形態は袖口部２３と締付けベルト３３-2を別体にしたもので、締付けベルト３３-2は前記締付けベルト３３と同一材料で形成されて、図８の如く袖口部２３の先端（袖口２９）の外周に一重に巻回可能な長さ寸法とされている。そして、その一端側裏面に雄型面ファスナー３５が貼着され、他端側表面に雌型面ファスナー３７が貼着されており、図８の矢印方向へ締付けベルト３３-2を袖口部２３の先端（袖口２９）に一重に巻回して前記雄型面ファスナー３５を雌型面ファスナー３７に止着すると、締付けベルト３３-2により袖口２９が外周側から内方（手首Ｈの方向）へ押圧されて、袖口部２３の袖口２９を適度に締め付けて保持できるようになっている。
【００３２】
そして、締付けベルト３３-2の裏面（内側）の長手方向の中央側に、前記帯状部材４３が袖口部２３の外周に巻回したときに袖口部２３の周方向に沿うように取り付けられており、図１の実施形態と同様、帯状部材４３を前記切り込み部２７に対向して手首Ｈの小指側に配置し乍ら、締付けベルト３３-2を袖口部２３に強く締め付けて雄型面ファスナー３５を雌型面ファスナー３７に係止すると、締付けベルト３３-2の締付力と袖口部２３の屈曲性や伸縮性により、帯状部材４３の突部３９を介して袖口部２３が内方へ押圧されて袖口部２３の内周に凸部Ｔが形成され、該凸部Ｔが手首Ｈを押圧し、または、手首Ｈに食い込むことで、袖口部２３の先端（袖口２９）から袖１３への雨水の浸入を防止できるようになっている。
【００３３】
本実施形態はこのように構成されているから、雨天時に、帯状部材４３を切り込み部２７に対向して手首Ｈの小指側に配置し乍ら、締付けベルト３３-2で袖口部２３を強く締め付けて雄型面ファスナー３５を雌型面ファスナー３７に係止すれば、締付けベルト３３-2の締付力と袖口部２３の屈曲性や伸縮性により、帯状部材４３の突部３９を介して袖口部２３が内方へ押圧されて袖口部２３の内周に凸部Ｔが形成され、該凸部Ｔが手首Ｈを押圧し、または、手首Ｈに食い込んで袖口部２３から袖１３への雨水の浸入を防止する。
【００３４】
そして、図１の実施形態と同様、締付けベルト３３-2を袖口部２３の外周に巻回して装着すると、締付けベルト３３-2の突部３９は袖口２９側からその奥の袖１３側に複数並列されるため、水が袖口２９に最も近い凸部Ｔを越えても、各凸部Ｔ間の凹部Ｏに保持され、この結果、更に袖口部２３の奥に設けた凸部Ｔで再び水の浸入が阻止されることとなって雨水の浸入を確実に防止する。
【００３５】
このように本実施形態も、袖口部２３への締付けベルト３３-2の締め付けにより、締付けベルト３３-2の裏面（内側）に設けた複数の突部３９を介して袖口部２３の内周で手首Ｈを押圧したり、手首Ｈの表面に食い込ませるように構成したので、袖口部２３から袖１３への確実な雨水の浸入防止が可能となった。
【００３６】
そして、突部３９が複数並設されているため、該突部３９を介して形成された袖口部２３内周の凸部Ｔで押圧されて手首の表面がうねって波状になり、水が手首に沿って伝わり難くなる。
【００３７】
また、複数の突部３９が一体形成された帯状部材４３を、手首の小指側に該当する位置を中心に配置することで、袖口部２３の袖口２９から袖１３への雨水の浸入防止が適確に図られることとなる。
【００３８】
而も、本実施形態の締付けベルト３３-2は雨具に限定されるものではなく、一般的な洋服の袖口にも着脱自在であるため、袖口部からの雨水の浸入防止は勿論、締付けベルト３３-2を軽く締め付けて袖口からの風の侵入防止等を図ることも可能である。
【００３９】
図９及び図１０は請求項１乃至請求項４の第三実施形態に係る締付けベルトが一体的に取り付く雨具の袖を示し、図中、３３-3は図２の締付けベルト３３と同一材料を用いて上布４７と下布４９の２重構造とした締付けベルトで、前記締付けベルト３３と同位置の袖口部２３に縫着され、該締付けベルト３３と同一寸法に形成されて、その先端側裏面に、袖口部２３側の雌型面ファスナー３７に係止可能な雄型面ファスナー３５が貼着されている。
【００４０】
そして、本実施形態は、図２の帯状部材４３が取り付く位置に、該帯状部材４３に代え、図１０に示すように上布４７と下布４９の間に短寸の紐５１やその他の線材等を締付けベルト３３-3の長手方向に並べて介在させて、図９及び図１０に示すように締付けベルト３３-3の表裏に複数の短寸な突部５３を長手方向に沿って形成したもので、一例として各突部５３は０．５〜５．０ｍｍ程の高さに形成されて１．０〜５．０ｍｍ程の幅を有している。
【００４１】
本実施形態はこのように構成されているから、切り込み部２７の両縁部２７ａ，２７ｂを付き合わせて袖口部２３を締付けベルト３３-3で軽く締め付ければ、前記突部５３を介して袖口２９が手首Ｈの表面に軽く当接して、袖口部２３からの風の侵入を防止する。
【００４２】
そして、雨天時に、切り込み部２７の両縁部２７ａ，２７ｂを重ね合わせて袖口部２３を締付けベルト３３-3で強く締め付ければ、図１０に示すように締付けベルト３３-3の締付力と袖口部２３の屈曲性や伸縮性により、各突部５３を介して袖口部２３の内周に形成された凸部Ｔが手首Ｈに当接して押圧し、または、手首Ｈに食い込んで、袖口部２３からの雨水の浸入を防止する。そして、突部５５が複数並設されているため、突部５５を介して袖口部２３の内周に形成された凸部Ｔで押圧された手首Ｈの表面がうねって波状になり、水が手首Ｈに沿って伝わり難くなる。
【００４３】
このように本実施形態は、袖口部２３に設けた締付けベルト３３-3の締め付けにより、締付けベルト３３-3に設けた複数の突部５３を介して袖口部２３の内周を手首Ｈの表面に押圧し、また、食い込ませるように構成したので、本実施形態によっても、袖口部２３からの確実な雨水の浸入防止が可能となった。
【００４４】
また、釣りの場合釣竿を握ると小指側が下になるため、小指側から袖口部２３へと滴が多く流れるが、既述したように本実施形態も、複数の突部５３を、手首Ｈの小指側に該当する位置を中心に配置したので、袖口部２３からの雨水の浸入防止が適確に図られる。
【００４５】
尚、本発明の締付けベルトは、ゴムや合成樹脂等で前記突部を有するように一体に形成してもよい。
【図面の簡単な説明】
【００４６】
【図１】請求項１乃至請求項４の第一実施形態に係る締付けベルトを袖口部に一体的に取り付けた雨具の正面図である。
【図２】袖口部の斜視図である。
【図３】締付けベルトの要部拡大斜視図である。
【図４】袖口部の断面図である。
【図５】袖口部の断面図である。
【図６】締付けベルトの突部の変形例の要部拡大斜視図である。
【図７】請求項１乃至請求項３の一実施形態に係る締付けベルトと雨具の袖口部の斜視図である。
【図８】袖口部の断面図である。
【図９】請求項１乃至請求項４の第三実施形態に係る締付けベルトが取り付く袖口部の斜視図である。
【図１０】袖口部の断面図である。
【図１１】従来の雨具の要部拡大断面図である。
【符号の説明】
【００４７】
１１  雨具
１３，１５  袖
１７  雨具本体
２３，２５  袖口部
２７  切り込み部
２９  袖口
３３，３３-1，３３-2，３３-3  締付けベルト
３５  雄型面ファスナー
３７  雌型面ファスナー
３９，４５，５３  突部
４３  帯状部材
４７  上布
４９  下布
５１  紐
Ｔ  凸部
Ｏ  凹部
【図１】
2009179910.tif 000003
【図２】
2009179910.tif 000004
【図３】
2009179910.tif 000005
【図４】
2009179910.tif 000006
【図５】
2009179910.tif 000007
【図６】
2009179910.tif 000008
【図７】
2009179910.tif 000009
【図８】
2009179910.tif 000010
【図９】
2009179910.tif 000011
【図１０】
2009179910.tif 000012
【図１１】
2009179910.tif 000013